【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
同時に指示されている複数の指示位置を検知する検知手段と、
前記検知手段によって検知された複数の指示位置が動いていない時間を取得する不動時間取得手段と、
前記不動時間取得手段によって取得された複数の指示位置が動いていない時間が一定時間以上であると判断された場合、該複数の指示位置間の領域を範囲指定する指示と解釈する指示解釈手段と
を有することを特徴とする操作装置。
【請求項２】
操作手段を更に有し、
該操作手段は、前記指示解釈手段によって範囲指定する指示であると解釈された領域に対して操作を行うことを特徴とする請求項１に記載の操作装置。
【請求項３】
前記指示解釈手段は、前記指示解釈手段によって範囲指定する指示であると解釈された領域を、他と識別可能な形態で明示する明示手段を更に有することを特徴とする請求項１または２に記載の操作装置。
【請求項４】
前記操作手段は、拡大操作であることを特徴とする請求項２に記載の操作装置。
【請求項５】
前記検知手段はタッチパネルであり、該タッチパネルに対してタッチすることによって指示された複数の指示位置を検知することを特徴とする請求項１から４のいずれか１項に記載の操作装置。
【請求項６】
同時に指示されている複数の指示位置を検知手段が検知する検知工程と、
前記検知工程で取得された複数の指示位置が動いていない時間を不動時間取得手段が取得する不動時間取得工程と、
前記不動時間取得工程で取得された複数の指示位置が動いていない時間が一定時間以上であると判断された場合、該複数の指示位置間の領域を範囲指定する指示と指示解釈手段が解釈する指示解釈工程と
を有することを特徴とする操作方法。
【請求項７】
前記指示解釈工程で範囲指定の指示であると解釈された領域に対して操作手段が操作を行う操作工程を更に有することを特徴とする請求項６に記載の操作方法。
【請求項８】
前記指示解釈工程は、前記指示解釈工程で範囲指定の指示であると解釈された領域を、他と識別可能な形態で明示手段が明示する明示工程を更に有することを特徴とする請求項６または７に記載の操作方法。
【請求項９】
前記操作工程は、拡大操作であることを特徴とする請求項７に記載の操作方法。
【請求項１０】
前記検知工程は、タッチパネルに対してタッチすることによって指示された複数の指示位置を検知することを特徴とする請求項６から９のいずれか１項に記載の操作装置。
【請求項１１】
同時に指示されている複数の指示位置を検知手段が検知する検知工程と、
前記検知工程で取得された複数の指示位置が動いていない時間を不動時間取得手段が取得する不動時間取得工程と、
前記不動時間取得工程で動いていない時間が一定時間以上であると判断された場合、該複数の指示位置間の領域を範囲指定する指示と指示解釈手段が解釈する指示解釈工程と
を有することを特徴とする操作方法をコンピュータに実行させるためのコンピュータ読み取り可能な操作プログラム。
【請求項１２】
同時に移動可能な複数の指示位置の軌跡を検知可能な軌跡検知手段と、
前記軌跡検知手段により検知された複数の指示位置の軌跡の組み合わせの表わす指示を解釈する指示解釈手段と、
前記指示解釈手段により解釈された指示に基づいて操作を行う操作手段と、
を具えたことを特徴とする操作装置。
【請求項１３】
前記指示解釈手段が、
前記複数の指示位置の軌跡に基づいて固定指示位置を検出する固定指示位置検出手段と、
前記固定指示位置検出手段により取得された固定指示位置と、その固定指示位置以外の指示位置の軌跡とに基づいて指示を解釈する固定指示位置対応指示解釈手段と、を具えたことを特徴とする請求項１２記載の操作装置。
【請求項１４】
前記指示解釈手段が、
それぞれの指示位置間の位置関係を判定する位置関係判定手段と、
前記位置関係判定手段により判定された位置関係に基づいて指示を解釈する位置関係対応指示解釈手段と、
を具えたことを特徴とする請求項１２記載の操作装置。
【請求項１５】
前記指示解釈手段が、
指示位置数を検知する指示位置数検知手段と、
前記指示位置数検知手段により検知された指示位置数の変化を検出する数変化検出手段と、
前記数変化検出手段により検出された指示位置数の変化に基づいて指示を解釈する数変化解釈手段と、
を具えたことを特徴とする請求項１２に記載の操作装置。
【請求項１６】
前記指示位置ないしは指示軌跡以外の指示情報を取得する指示情報取得手段を具え、前記指示解釈手段が、前記指示情報取得手段により取得された指示情報に基づいて指示を解釈する指示情報解釈手段を具えたことを特徴とする請求項１２記載の操作装置。
【請求項１７】
同時に移動可能な複数の指示位置の軌跡を軌跡検知手段が検知可能な軌跡検知工程と、
前記軌跡検知工程により検知された複数の指示位置の軌跡の組み合わせの表わす指示を指示解釈手段が解釈する指示解釈工程と、
前記指示解釈工程により解釈された指示に基づいて操作手段が操作を行う操作工程と
を有することを特徴とする操作方法。
【請求項１８】
同時に移動可能な複数の指示位置の軌跡を検知可能な軌跡検知工程と、
前記軌跡検知工程により検知された複数の指示位置の軌跡の組み合わせの表わす指示を解釈する指示解釈工程と、
前記指示解釈工程により解釈された指示に基づいて操作を行う操作工程とを有することを特徴とする操作方法をコンピュータに実行させるためのコンピュータ読み取り可能な操作プログラム。
【手続補正２】
【補正対象書類名】明細書
【補正対象項目名】０００７
【補正方法】変更
【補正の内容】
【０００７】
本発明の１態様によれば、操作装置であって、同時に指示されている複数の指示位置を検知する検知手段と、前記検知手段によって検知された複数の指示位置が動いていない時間を取得する不動時間取得手段と、前記不動時間取得手段によって取得された複数の指示位置が動いていない時間が一定時間以上であると判断された場合、該複数の指示位置間の領域を範囲指定する指示と解釈する指示解釈手段とを有する。
【手続補正３】
【補正対象書類名】明細書
【補正対象項目名】０００８
【補正方法】変更
【補正の内容】
【０００８】
また、本発明の他の態様によれば、操作方法であって、同時に指示されている複数の指示位置を検知手段が検知する検知工程と、前記検知工程で検知された複数の指示位置が動いていない時間を不動時間取得手段が取得する不動時間取得工程と、前記不動時間取得工程で取得された複数の指示位置が動いていない時間が一定時間以上であると判断された場合、該複数の指示位置間の領域を範囲指定する指示と指示解釈手段が解釈する指示解釈工程とを有する。
【手続補正４】
【補正対象書類名】明細書
【補正対象項目名】０００９
【補正方法】変更
【補正の内容】
【０００９】
また、本発明の他の態様によれば、操作プログラムによって、同時に指示されている複数の指示位置を検知手段が検知する検知工程と、前記検知工程で検知された複数の指示位置が動いていない時間を不動時間取得手段が取得する不動時間取得工程と、前記不動時間取得工程で取得された複数の指示位置が動いていない時間が一定時間以上であると判断された場合、該複数の指示位置間の領域を範囲指定する指示と指示解釈手段が解釈する指示解釈工程をコンピュータに実行させる。
また、本発明の他の様態によれば、操作装置であって、同時に移動可能な複数の指示位置の軌跡を検知可能な軌跡検知手段と、前記軌跡検知手段により検知された複数の指示位置の軌跡の組み合わせの表わす指示を解釈する指示解釈手段と、前記指示解釈手段により解釈された指示に基づいて操作を行う操作手段とを有する。
また、本発明の他の様態によれば、操作方法であって、同時に移動可能な複数の指示位置の軌跡を軌跡検知手段が検知可能な軌跡検知工程と、前記軌跡検知工程により検知された複数の指示位置の軌跡の組み合わせの表わす指示を指示解釈手段が解釈する指示解釈工程と、前記指示解釈工程により解釈された指示に基づいて操作手段が操作を行う操作工程とを有する。
また、本発明の他の様態によれば、操作プログラムによって、同時に移動可能な複数の指示位置の軌跡を検知可能な軌跡検知工程と、前記軌跡検知工程により検知された複数の指示位置の軌跡の組み合わせの表わす指示を解釈する指示解釈工程と、前記指示解釈工程により解釈された指示に基づいて操作を行う操作工程とをコンピュータに実行させる。